(57)【特許請求の範囲】
【請求項１】
瓦屋根の棟部構造において、
屋根下地材（１）の水平棟部（１１）に、板金又はプラスチック板製で所定高さを有する棟瓦取付台（２１）と該棟瓦取付台（２１）の下部両側にそれぞれ水を受け得る樋状部（２５，２５）とを一体形成した長尺の棟心部材（２）を取付け、
該棟心部材（２）の棟瓦取付台（２１）に、棟瓦（３）に形成したビス穴（３１）を通してドリルビス（６）をねじ込んで該棟瓦（３）を固定し、
前記棟心部材（２）の各樋状部（２５，２５）の端部に屋根傾斜方向に向く別の樋部材（７，７）を接続する一方、
該樋部材（７）の下端（７ａ）を下段側の瓦（５）の瓦尻（５ａ）上面に載せている、
ことを特徴とする瓦屋根の棟部構造。
【発明の詳細な説明】
【０００１】
【発明の属する技術分野】
【０００２】
本願発明は、瓦屋根の棟部構造に関するものである。
【従来の技術及び発明が解決しようとする課題】
【０００３】
図５には、従来の一般的な瓦屋根の棟部構造を示している。この従来の棟部構造では、屋根下地材（野地板）１の傾斜面上に多数枚の瓦（平瓦や桟瓦が使用されるが、以下の説明では総称して平瓦という）５，５・・を葺き、屋根下地材１の棟部１１に棟下平瓦４，４を介して棟瓦３を取付けている。
【０００４】
この図５に示す従来例では、棟瓦３は、下地材棟部１１上に取付けた木材製の棟瓦取付台２Ａに棟瓦３に形成した釘穴を通して釘６Ａを打ち込んで固定している。尚、他の棟瓦固定方法として、針金（銅線）で緊縛するものもある。又、棟瓦３の下面には、棟下平瓦４の上端部４ａを包み込むようにして棟葺土９が充填されている。
【０００５】
ところで、例えば台風時のように風雨が強いと、雨水が棟下平瓦４の上面に沿って吹き上げられて棟瓦３の側縁３ａ下面と棟下平瓦４上面との間から侵入することがある。このように、棟瓦３と棟下平瓦４との間に雨水が侵入すると、その雨水が毛細管現象により棟葺土９中に滲み込んでいき、その侵入雨水で雨漏りを引き起こすことがある。
【０００６】
又、下地材棟部１１上の棟瓦取付台２Ａは、比較的細幅で棟部１１に対する取付強度が比較的弱く、従って該棟瓦取付台２Ａに釘止めされる棟瓦３の取付強度はさほど強くないのが現状である。
【０００７】
本願発明は、上記した従来の瓦屋根棟部構造の問題点に鑑み、棟瓦を強固に固定でき且つ瓦屋根棟部から雨水が侵入してもその侵入雨水で屋根下地材（野地板等）を濡らすことがない（雨漏りしない）ようにした瓦屋根の棟部構造を提供することを目的としている。
【課題を解決するための手段】
【０００８】
本願発明は、上記課題を解決するための手段として次の構成を有している。尚、本願発明は、瓦屋根の棟部構造を対象にしている。
【０００９】
本願発明の棟部構造は、瓦屋根における水平棟部や傾斜棟部に適用できるものである。そして、この発明の棟部構造は、屋根下地材の水平棟部に、板金又はプラスチック板製で所定高さを有する棟瓦取付台と該棟瓦取付台の下部両側にそれぞれ水を受け得る樋状部とを一体形成した長尺の棟心部材を取付け、棟心部材の棟瓦取付台に、棟瓦に形成したビス穴を通してドリルビスをねじ込んで該棟瓦を固定し、棟心部材の各樋状部の端部に屋根傾斜方向に向く別の樋部材を接続する一方、樋部材の下端を下段側の瓦の瓦尻上面に載せていることを特徴としている。
【００１０】
この発明の棟部構造で使用される棟心部材が板金製の場合は、適宜幅（例えば６０〜１００cm幅）の１枚ものの長尺板金をその幅方向の適数箇所を全長に亘って折曲して、幅方向中央部に所定高さの棟瓦取付台を形成するとともに、その棟瓦取付台の下端両側にそれぞれ樋状部を形成する。又、該棟心部材がプラスチック板製の場合は、上記板金製の棟心部材と同様の形状に成型（例えば押し出し成型）する。この棟心部材は、折曲状態でかなりの保形性があり、且つ後述するようにドリルビスを容易にねじ込み得る比較的薄厚さのものが採用される。尚、この棟心部材の厚さは、特に限定するものではないが、板金製の場合は例えば０.５mm程度が適当であり、プラスチック板製の場合は例えば１〜２mm程度が適当である。
【００１１】
棟心部材の棟瓦取付台は、その上面に平面部を形成するとよい。棟瓦取付台（上面平面部）の高さは、棟部に設置される棟下平瓦の取付け高さや棟瓦の上下高さ等によって適宜に設計されるが、該棟部に各種瓦を設置したときに棟瓦の下面が棟瓦取付台の上面平面部より若干高さだけ上方に離間するように設定することが好ましい。尚、棟瓦取付台の上面平面部は、特にビス用の穴を空けなくても、ドリルビス（電動ドリルでねじ込まれる）であれば容易に穿孔して進入させることができる。
【００１２】
棟心部材の各樋状部は、棟瓦取付台の下端からそれぞれ屋根下地材の傾斜方向に適宜幅（例えば２０〜３０cm幅）だけ傾斜させた後、その各傾斜端縁を適宜高さ（例えば１〜３cm程度）だけ上向きに折曲して形成できる。
【００１３】
そして、この発明の瓦屋根の棟部構造を構築するには、まず棟心部材をその各樋状部が屋根下地材の水平棟頂部の左右に跨がる状態で設置する（このとき棟瓦取付台が水平棟頂部の直上方に位置している）。この場合、棟心部材が水平状態で設置される。又、この棟心部材は、樋状部の上端部寄り位置（棟瓦取付台に近い部分）を屋根下地材に釘打ちして固定することができる。そして、棟心部材の各樋状部の上部をそれぞれ棟下平瓦で被覆するとともに、左右の棟下平瓦に跨がって棟瓦を配置し、その棟瓦の上方から該棟瓦に形成しているビス穴を通してドリルビスを棟瓦取付台の上面にねじ込むことによって該棟瓦を固定している。
【００１４】
この発明の瓦屋根の棟部構造では、棟心部材が屋根下地材の棟部に安定姿勢で設置されており、且つその棟心部材の棟瓦取付台に棟瓦がドリルビスで固定されているので、該棟瓦の取付状態が強固になる。又、台風等の風雨の強いときには棟瓦の側縁下面と棟下平瓦上面との間から雨水が吹き込まれることがあるが、その吹き込まれた雨水が棟下平瓦の上端縁を越えてその下方に侵入しても、その侵入雨水は棟心部材の樋状部で受けられ、屋根下地材を濡らすことがない（雨漏りしない）。尚、棟瓦が割れたり、各棟瓦間に隙間ができたりすると、棟瓦下方に雨水が侵入するが、その場合も、その侵入雨水を棟心部材の樋状部で受けることができる。
【００１５】
又、この発明では、棟心部材を屋根下地材の水平棟部に設置しており、さらに棟心部材の各樋状部の端部に屋根傾斜方向に向く別の樋部材を接続し、該各樋部材の下端を下段側の瓦の瓦尻上面に載せている。
【００１６】
このようにすると、棟心部材が水平姿勢で設置されるものであっても、樋状部で受けた雨水が該樋状部の端部から流出したときに、その流出雨水を別の樋部材で瓦上面に導くことができ、樋状部に受けた雨水で屋根下地材を濡らすことがない。
【発明の効果】
【００１７】
本願発明の瓦屋根の棟部構造では、上記のように、板金又はプラスチック板製で棟瓦取付台とその下部両側にそれぞれ各樋状部とを一体形成した棟心部材を使用し、この棟心部材を屋根下地材の水平棟部に設置した状態で、棟瓦取付台に棟瓦をドリルビスで固定している。
【００１８】
このように、棟瓦取付台の両側に各樋状部を一体形成した棟心部材では、その取付状態において各樋状部が屋根下地材棟部の両側に跨がるので、該棟心部材の取付状態が安定し、且つその取付安定状態の棟心部材の棟瓦取付台に棟瓦をドリルビスで固定しているので、該棟瓦を強固に固定することができるという効果がある。尚、このように、棟瓦の取付状態が強固であると、台風等の強風時あるいは地震発生時等において、棟瓦が位置ずれしたり外れたりしない。
【００１９】
又、風雨の強いときには、棟瓦の側縁下面と棟下平瓦上面との間から雨水が吹き込まれて、該雨水が棟下平瓦上端を越えて侵入することがあり、又棟瓦が割れたり棟瓦間に隙間ができたりしたときにも雨水が侵入することがあるが、その侵入雨水は棟心部材の樋状部で受けられるので、該侵入雨水で屋根下地材を濡らすことがない（侵入雨水が雨漏りしない）という効果がある。
【００２０】
さらに、棟心部材には、棟瓦取付台と樋状部とが一体形成されているので、上記各効果（棟瓦を強固に固定できること、侵入雨水が雨漏りしないこと）を単一の棟心部材で達成できるという効果もある。
【００２１】
又、本願発明の瓦屋根の棟部構造では、棟心部材の樋状部で受けた雨水を樋状部の端部から別の樋部材を介して瓦上面に流すことができるようになっているので、棟部構造を水平棟部に適用したものであっても、比較的簡単な構成で、棟瓦下方に侵入した雨水が屋根下地材上に流れるのを防止できるという効果がある。
【発明の実施の形態】
【００２２】
図１〜図４を参照して本願実施形態の瓦屋根の棟部構造を説明する。
【００２３】
この実施形態の瓦屋根は、野地板を敷き詰めて形成した屋根下地材１の傾斜部上面を多数枚の瓦５，５・・で葺くとともに、屋根下地材１の棟部１１に、棟心部材２（後で詳述する）と棟下平瓦４，４・・と棟瓦３，３・・とを載せて構築されている。
【００２４】
符号５の瓦には、平瓦や桟瓦が使用されるが、この実施形態ではそれらを総称して平瓦という。又、図１及び図２においては、各平瓦５，５・・の側縁同士及び各棟瓦３，３・・の端縁同士は、便宜上（作図が繁雑になるため）それぞれ単に突き合わせた状態で表示しているが、実際には各平瓦５，５の側縁同士及び各棟瓦３，３の端縁同士はそれぞれ重合させて、隣接する瓦間から雨水が下方に侵入しないようにしている。尚、この実施形態では、棟瓦３の下方に直に棟下平瓦４，４・・を設置しているが、棟瓦３と棟下平瓦４との間に熨斗瓦を介設してもよい。
【００２５】
屋根下地材１の水平棟部１１には、板金又はプラスチック板製で棟瓦取付台２１と各樋状部２５，２５とを一体形成した長尺の棟心部材２が取付けられている。尚、以下の説明では、棟心部材２として板金製のもので説明する。
【００２６】
この棟心部材２は、例えば厚さが０.５mm程度で幅が６０〜１００cm程度の１枚ものの長尺板金をその幅方向の適数箇所を全長に亘って折曲して、幅方向中央部に所定高さの棟瓦取付台２１を形成するとともに、その棟瓦取付台２１の下端両側にそれぞれ樋状部２５，２５を形成している。
【００２７】
棟心部材２の棟瓦取付台２１は、左右２枚の立上げ部２３，２３の上部に適宜幅（例えば３〜５cm幅）の平面部２２を形成している。尚、棟瓦取付台２１（平面部２２）の高さは、棟部１１に設置される棟下平瓦４の取付け高さや棟瓦３の上下高さ等によって適宜に設計されるが、該棟部に各種瓦（棟下平瓦４や棟瓦３）を設置したときに棟瓦３の下面が棟瓦取付台２１の上面平面部２２より若干高さ（例えば３〜１０mm程度）だけ上方に離間するように設定される。左右２枚の各立上げ部２３，２３には、長さ方向に所定間隔をもって同位置に貫通する多数の穴２４，２４・・が形成されている。この穴２４は、棟頂部の左右に配置される各棟下平瓦４，４同士を結束するための針金（銅線）８を挿通させるためのものである。
【００２８】
棟心部材２の各樋状部２５，２５は、棟瓦取付台２１の各立上げ部２３，２３の各下端からそれぞれ屋根下地材１の傾斜方向に適宜幅（例えば２０〜３０cm幅）だけ傾斜させた後、その各傾斜板部２６，２６の各端縁を所定高さ（例えば１〜３cm）だけ上向きに折曲して形成している。従って、この各樋状部２５，２５では、棟瓦３の下方に（棟下平瓦４の上端４ａを越えて）侵入してきた雨水を傾斜板部２６で受けて下方の溝に集約させ得るようになっている。
【００２９】
尚、棟心部材２の上記各寸法は、特に限定するものではなく、必要に応じて適宜に設計変更できる。特に、棟心部材２としてプラスチック板を使用する場合は、強度面で厚さを１〜２mm程度にすることが好ましい。
【００３０】
この棟心部材２は、その各樋状部２５，２５が屋根下地材１の水平棟頂部の左右に跨がる状態（棟瓦取付台２１が棟頂部の直上方に位置する）で設置する。この場合、図１〜図４に示すように、棟心部材２は水平状態で設置される。又、この棟心部材２は、樋状部２５，２５の上端部寄り位置（棟瓦取付台２１に近い部分）を屋根下地材１に釘打ちして固定することができる。
【００３１】
棟心部材２の各樋状部２５，２５の各端部２５ａ，２５ａには、それぞれ別の樋部材７，７を接続させている。この各樋部材７，７は、棟心部材２の樋状部２５の端部２５ａから流出する雨水を受けることができ、且つ屋根傾斜方向に向けて設置している。又、この各樋部材７，７の下端７ａ，７ａは、下段側の平瓦５の瓦尻５ａ上面に載せている。このようにすると、棟心部材２が水平姿勢で設置されるものであっても、樋状部２５で受けた雨水が該樋状部の端部２５ａから流出したときに、その流出雨水を別の樋部材７で平瓦５の上面に導くことができる。
【００３２】
この実施形態では、各樋部材７，７は連結板７ｂで一体に連結している。そして、該連結板７ｂ部分を棟部１１の左右傾斜部に跨がらせ、且つ棟心部材２の端部２５ａが連結板７ｂの上に重なる状態で、各樋部材７，７を設置している。尚、各樋部材７，７は、連結板７ｂ部分を屋根下地材１に釘止めして固定することができる。
【００３３】
又、棟部１１の全長が長い場合は、図１に示すように複数の棟心部材２，２を継ぎ足して使用できる。この場合、各側の棟心部材２，２の継ぎ足し部分を若干程度離間させて、その離間部分に単一の樋部材７を設置し、該樋部材７に各側の棟心部材２，２の樋状部端部２５ａ，２５ａを両側から接続させるとよい。このようにすると、１つの樋部材７を両側の樋状部２５，２５からの受水通路として共用できる。尚、この場合、連結板７ｂ部分が各棟心部材２，２の各端部２５ａ，２５ａ間（下面側）に跨がった状態で設置していると、各棟心部材２，２の継ぎ足し部の間隔部分に雨水が侵入しても、該侵入雨水が連結板７ｂで受けられて屋根下地材１を濡らすことがない。
【００３４】
そして、棟心部材２を設置した後、その各樋状部２５，２５の上部をそれぞれ棟下平瓦４，４・・で被覆するが、その前に棟心部材２の立上げ部２３，２３の左右近傍に各側の棟下平瓦４，４の上端４ａ，４ａの高さまで棟葺土９を充填し、左右各側の棟下平瓦４，４を所定位置に配置し、該各側の棟下平瓦４，４の上端部同士を針金８で結束する。続いて、立上げ部２３，２３の左右近傍で各側の棟下平瓦４，４の上端部の上に棟葺土９を充填した後、棟瓦３を各側の棟下平瓦４，４に跨がって載せ、その棟瓦３の上方から該棟瓦３に形成しているビス穴３１を通してドリルビス６を棟瓦取付台２１の平面部２２にねじ込むことによって、該棟瓦３を固定する。尚、ドリルビス６は電動ドリルでねじ込まれるが、ドリルビス６であれば板金又はプラスチック板製の棟瓦取付台２１（平面部２２）を比較的容易に突き破ることができ、且つ相手が板金やプラスチック板であってもドリルビス６であれば抜け出すことがない。尚、図示例では、１つの棟瓦３につきビス穴３１を２箇所形成しているが、該ビス穴３１は１箇所でもよい。
【００３５】
この実施形態の棟部構造で使用される棟心部材２は、その下部の左右にそれぞれ適宜幅の樋状部２５，２５が形成されており、該各樋状部２５，２５の比較的広面積部分が屋根下地材１の棟部１１上に面接合しているので、この棟心部材２の設置姿勢が安定している。又、棟心部材２が板金製（又はプラスチック板製）であり、且つ棟瓦３を棟瓦取付台２１にドリルビス６で固定しているので、該棟瓦３の取付状態が強固になる。
【００３６】
ところで、台風等の風雨の強いときには棟瓦３の側縁３ａの下面と棟下平瓦４の上面との間から雨水が吹き込まれ、その吹き込まれた雨水が毛細管現象により棟葺土９中に滲み込むことがある。又、棟瓦３が割れたり、あるいは棟瓦３が位置ずれして棟瓦間の隙間ができたりすると、棟瓦３の上面側からも雨水が侵入し、その侵入雨水が棟葺土９中に滲み込む。そして、該棟葺土９中に多量の水を含むと、その水の一部が棟下平瓦４の下方に侵入することがある。ところが、この実施形態の棟部構造では、その侵入雨水は棟心部材２の樋状部２５，２５で受けられ、該樋状部２５の端部２５ａから樋部材７に流れ、さらに樋部材７の下端７ａから平瓦５の上面に導かれる。従って、瓦屋根の棟部から侵入した雨水で屋根下地材１を濡らすことがない。
【図面の簡単な説明】
【００３７】
【図１】  本願実施形態の棟部構造を採用した瓦屋根の平面図である。
【図２】  図１の一部の瓦を剥離させた状態の斜視図である。
【図３】  図１のIII−III断面図である。
【図４】  図３の一部拡大図である。
【図５】  従来の瓦屋根の棟部構造の断面図である。
【符号の説明】
【００３８】
１は屋根下地材、２は棟心部材、３は棟瓦、４は棟下平瓦、５は平瓦（又は桟瓦）、６はドリルビス、７は樋部材、１１は水平棟部、２１は棟瓦取付台、２５は樋状部、３１はビス穴である。
【図１】
0003652334.tif 000002
【図２】
0003652334.tif 000003
【図３】
0003652334.tif 000004
【図４】
0003652334.tif 000005
【図５】
0003652334.tif 000006